(57)【要約】  ＰＥＴ装置１の体幹上部用検出部１１は、頭頸用検出部９のリングの中心軸ＣＬに沿った方向に頭頸用検出部９と並んで設けられ、検出器ブロック１３がリング状に複数個配置されると共に、それらの検出器ブロック１３のうち被検体Ｍの両肩部に対応する部分の検出器ブロック１３を取り除いた切り欠き部１５が設けられている。その切り欠き部１５に両肩部を収めることができるので、切り欠き部１５以外に設けられた体幹上部用検出部１１の検出器ブロック１３を体幹部に近づけることができる。したがって、頭頸部検出部９と体幹上部検出部１１とにより、被検体Ｍの頭部から体幹上部にかけて高分解能および高感度に断層像を撮像することができる。
2014118823.tif 000002
【特許請求の範囲】
【請求項１】
被検体に投与した放射性薬剤の体内分布を画像化する核医学診断装置において、
前記被検体から放射される放射線を検出する検出器がリング状に複数個配置された、被検体の頭頸部を撮像する頭頸部用検出部と、
前記頭頸部用検出部のリングの中心軸に沿った方向に前記頭頸部用検出部と並んで設けられ、前記検出器がリング状に複数個配置されると共に、それらの検出器のうち被検体の両肩部に対応する部分の前記検出器を取り除いて構成される切り欠き部が設けられた、被検体の体幹部を撮像する体幹部用検出部と、
を備えていることを特徴とする核医学診断装置。
【請求項２】
請求項１に記載の核医学診断装置において、
前記頭頸部用検出部および前記体幹部用検出部は、それらの検出器径が同一となるように構成されていることを特徴とする核医学診断装置。
【請求項３】
請求項１または２に記載の核医学診断装置において、
前記頭頸部用検出部と前記体幹部用検出部との間においても同時計数を行ってデータ収集するデータ収集部を備えていることを特徴とする核医学診断装置。
【請求項４】
請求項１から３のいずれかに記載の核医学診断装置において、
前記切り欠き部は、前記中心軸から延びて前記切り欠き部の中央を通過する線が、前記中心軸を通過する水平線よりも低い位置となるように設けられていることを特徴とする核医学診断装置。
【発明の詳細な説明】
【技術分野】
【０００１】
本発明は、被検体に投与した放射性薬剤の体内分布を画像化する核医学診断装置に関する。
【背景技術】
【０００２】
従来、この種の核医学診断装置として、ＰＥＴ（Positron Emission Tomography）装置がある（例えば、特許文献１参照）。ＰＥＴ装置１０１は、図９（ａ）および図９（ｂ）に示すように、ガントリ１０３と、被検体Ｍを載置するベッド装置１０５とを備えている。ガントリ１０３は、被検体Ｍを導入するトンネル部１０２と、トンネル部１０２を複数の検出器がリング状に取り囲んで構成する検出器リング１０７とを備えている。検出器リング１０７は、ポジトロン標識薬剤が投与された被検体Ｍから放射された２本のγ線（γ線対）を検出する。【０００３】
図９（ａ）および図９（ｂ）のＰＥＴ装置１０１は、被検体Ｍの全身が入る大きさの円周上に複数個の検出器を配置した全身用ＰＥＴ装置１０１である。全身用ＰＥＴ装置１０１は、被検体Ｍの全身を撮像することができるが、高分解能および高感度に全身の断層像を撮像することが難しい。一方、撮像する対象が被検体Ｍの頭部だけであれば、図１０（ａ）および図１０（ｂ）に示すような、頭部用ＰＥＴ装置２０１がある。頭部用ＰＥＴ装置２０１は、検出器の径を全身用ＰＥＴ装置１０１よりも小さくすることができ、高分解能および高感度に頭部の断層像を撮像することができる。【０００４】
なお、頭部以外の部位を撮像する核医学診断装置として、乳がんの診断に用いられるマンモＰＥＴ装置がある（例えば、特許文献２参照）。このマンモＰＥＴ装置は、環状検出器ユニット（検出器リング）の一部に検出器を備えないようにした切り欠き部を有する構成となっている。その切り欠き部に被検体Ｍの片方の肩を入り込ませて、被検体Ｍの乳房を環状検出器ユニットに導入することにより、乳房だけでなく、乳房周辺部を撮像視野に含ませて広範囲に撮像することができる。【０００５】
また、従来の核医学診断装置として、図１１に示すように、ガンマカメラと呼ばれる２つの検出器３０７が被検体を挟んで対向配置した装置３０１がある。
【先行技術文献】
【特許文献】
【０００６】
【特許文献１】国際公開第２０１０／１０９５２３号
【特許文献２】特開２０１０−２０４１２５号公報
【発明の概要】
【発明が解決しようとする課題】
【０００７】
従来のＰＥＴ装置において、被検体Ｍの頭部だけではなく、頭部から、頸部と隣接する体幹部（胴部）の上部（以下、「体幹上部」と称する）にかけて、高分解能および高感度に撮像したいという要望がある。例えば、被検体Ｍの頭部および頸部（以下、「頭頸部」と称する）に発生した腫瘍が、頸部近くの体幹上部のリンパ節（例えば鎖骨上リンパ節など）へ転移する場合があり、頭部から体幹上部にかけて、その腫瘍の経過を治療と連携して撮像したいとき等である。なお、上述の頭頸部に発生した腫瘍とは、特定の部位に限定して発生するものではなく、脳などを含んで頭頸部全体のうちいずれかの部位に発生する腫瘍である。例えば、脳腫瘍が挙げられる。【０００８】
従来の全身用ＰＥＴ装置１０１（図９（ａ）および図９（ｂ）参照）では、頭部から体幹上部にかけて現れる腫瘍を撮像することができる。しかしながら、頭部から体幹上部にかけて高分解能および高感度に撮像することは難しい。一方、従来の頭部用ＰＥＴ装置２０１（図１０（ａ）および図１０（ｂ）参照）では、頭頸部を、高分解能および高感度に撮像することができる。しかしながら、検出器リング１０７の入口で被検体Ｍの両肩部が当たってしまい、体幹上部を撮像領域内に収めることができず、首（頸部）の付け根までしか撮像できない。【０００９】
なお、図１１および図１２の従来装置３０１，４０１においても、被検体の頭部から体幹上部にかけて高分解能および高感度に断層像を撮像することができない。【００１０】
図１１に示す装置においては、２つの検出器が被検体Ｍの周りを回転してデータ収集する場合、２つの検出器は被検体Ｍと当たらないように、被検体全身の周りで回転される。検出器３０７は、図９（ａ）および図９（ｂ）と同様に被検体に対して離れるので、被検体の頭部から体幹上部にかけて高分解能および高感度に撮像することは難しい。また、２つの検出器３０７を被検体Ｍに近づけて固定してデータ収集する場合、ある特定の方向（図１１中のＧ２方向）は、比較的、高分解能および高感度のデータ収集を行うことができる。しかしながら、そのＧ２方向と直交するＧ１方向では、良好なデータを得ることができない。【００１１】
また、特許文献１には、図１２に示すように、全身用ＰＥＴ装置１０１と頭部用ＰＥＴ装置２０１とを備えたＰＥＴ装置４０１が提案されている。このＰＥＴ装置４０１では、被検体Ｍの頭頸部の断層像を高分解能および高感度に撮像することができるが、被検体Ｍの体幹上部の断層像を高分解能および高感度に撮像することができない。また、図１２において、頭頸部と体幹部を個別にデータ収集する場合は、体幹部の分解能、感度が低いので、また、頭頸部と体幹上部の段差部分でγ線が遮られてしまうので、頸部と体幹上部の接合部分付近および体幹上部を高分解能、高感度に撮像することができない。【００１２】
本発明は、このような事情に鑑みてなされたものであって、被検体の頭部から体幹部にかけて高分解能および高感度に断層像を撮像することができる核医学診断装置を提供することを目的とする。
【課題を解決するための手段】
【００１３】
本発明は、このような目的を達成するために、次のような構成をとる。
すなわち、本発明の核医学診断装置は、被検体に投与した放射性薬剤の体内分布を画像化する核医学診断装置において、前記被検体から放射される放射線を検出する検出器がリング状に複数個配置された、被検体の頭頸部を撮像する頭頸部用検出部と、前記頭頸部用検出部のリングの中心軸に沿った方向に前記頭頸部用検出部と並んで設けられ、前記検出器がリング状に複数個配置されると共に、それらの検出器のうち被検体の両肩部に対応する部分の前記検出器を取り除いて構成される切り欠き部が設けられた、被検体の体幹部を撮像する体幹部用検出部と、を備えていることを特徴とするものである。【００１４】
本発明の核医学診断装置によれば、体幹部用検出部は、複数個の検出器がリング状に配置された頭頸部用検出部のリングの中心軸に沿った方向に頭頸部用検出部と並んで設けられている。体幹部用検出部は、検出器がリング状に複数個配置されると共に、それらの検出器のうち被検体の両肩部に対応する部分の検出器を取り除いて構成される切り欠き部が設けられている。その切り欠き部に両肩部を収めることができるので、切り欠き部以外に設けられた体幹部用検出部の検出器を体幹部に近づけることができ、高分解能および高感度に体幹部の断層像を撮像することができる。したがって、頭頸部用検出部と体幹部用検出部とにより、被検体の頭部から体幹部にかけて高分解能および高感度に断層像を撮像することができる。【００１５】
また、本発明に係る核医学診断装置において、前記頭頸部用検出部および前記体幹部用検出部は、それらの検出器径が同一となるように構成されていることが好ましい。頭頸部用検出部および体幹部用検出部の検出器径が同一であるので、頭頸部用検出部および体幹上部用検出部における分解能および感度の違いを抑えることができる。【００１６】
また、本発明に係る核医学診断装置において、前記頭頸部用検出部と前記体幹部用検出部との間においても同時計数を行ってデータ収集するデータ収集部を備えていることが好ましい。すなわち、頭頸部用検出部のみ、あるいは体幹部用検出部のみでデータ収集部により同時計数を行ってデータ収集するだけでなく、頭頸部用検出部と体幹部用検出部との間においても同時計数を行ってデータ収集する。これにより、頭頸部と体幹部との接続部分の感度を増加させて、被検体の頭部から体幹部にかけて撮像することができる。【００１７】
また、本発明に係る核医学診断装置において、前記切り欠き部は、前記中心軸から延びて前記切り欠き部の中央を通過する線が、前記中心軸を通過する水平線よりも低い位置となるように設けられていることが好ましい。一般的に、被検体を載置する天板のヘッドレストは、被検体の頭部を体幹部よりも高い位置で保持する。そのため、頭頸部用検出部と体幹部用検出部とで共有する中心軸上に、頭部の中心を配置する場合、体幹部は頭部よりも低い位置となる。そのため、切り欠き部は、中心軸から延びて切り欠き部の中央を通過する線が、中心軸を通過する水平線よりも低い位置となるように設ければ、被検体が身体を曲げることなく、切り欠き部に楽な姿勢で両肩部を収めることができる。
【発明の効果】
【００１８】
本発明に係る核医学診断装置によれば、体幹部用検出部は、複数個の検出器がリング状に配置された頭頸部用検出部のリングの中心軸に沿った方向に頭頸部用検出部と並んで設けられている。体幹部用検出部は、検出器がリング状に複数個配置されると共に、それらの検出器のうち被検体の両肩部に対応する部分の検出器を取り除いて構成される切り欠き部が設けられている。その切り欠き部に両肩部を収めることができるので、切り欠き部以外に設けられた体幹部用検出部の検出器を体幹部に近づけることができ、高分解能および高感度に体幹部の断層像を撮像することができる。したがって、頭頸部用検出部と体幹部用検出部とにより、被検体の頭部から体幹部にかけて高分解能および高感度に断層像を撮像することができる。
【図面の簡単な説明】
【００１９】
【図１】実施例に係るＰＥＴ装置の概略構成を示す図である。
【図２】頭頸部用検出部および体幹上部用検出部を備えたγ線検出部を示す斜視図である。
【図３】体幹上部用検出部に設けられた切り欠き部の位置、および円周方向に配列した検出器ブロックの検出器を示す図である。
【図４】（ａ）は、切り欠き部と頭部と体幹部の関係を示す図であり、（ｂ）は、天板の側面図であり、（ｃ）は、（ｂ）のヘッドレスト側から見た図である。
【図５】ガントリを一部拡大した縦断面図である。
【図６】（ａ）は、ガントリを横断面図で示した実施例に係るＰＥＴ装置の平面図であり、（ｂ）は、ガントリを縦断面図で示した実施例に係るＰＥＴ装置の側面図である。
【図７】（ａ）〜（ｃ）は、変形例に係る頭頸部用検出部および体幹上部用検出部を備えたγ線検出部を示す斜視図である。
【図８】（ａ）は、変形例に係るガントリを一部拡大した横断面図であり、（ｂ）は、変形例に係るガントリを一部拡大した縦断面図である。
【図９】（ａ）は、ガントリを横断面図で示した従来の全身用ＰＥＴ装置の平面図であり、（ｂ）は、ガントリを縦断面図で示した従来の全身用ＰＥＴ装置の側面図である。
【図１０】（ａ）は、ガントリを横断面図で示した従来の頭部用ＰＥＴ装置の平面図であり、（ｂ）は、ガントリを縦断面図で示した従来の頭部用ＰＥＴ装置の側面図である。
【図１１】従来の核医学診断装置を示す図である。
【図１２】特許文献１に示された、全身用ＰＥＴ装置と頭部用ＰＥＴ装置とを備えたＰＥＴ装置であり、装置全体を横断面図で示した平面図である。
【実施例】
【００２０】
以下、図面を参照して本発明の実施例を説明する。図１は、実施例に係るＰＥＴ装置の概略構成を示す図である。図２は、頭頸部用検出部および体幹上部用検出部を備えたγ線検出部を示す斜視図である。【００２１】
本実施例において、核医学診断装置の一例としてＰＥＴ装置について説明する。図１を参照する。ＰＥＴ装置１は、被検体Ｍを導入するための円筒状のトンネル部２を有するガントリ３と、被検体Ｍを載置する天板４を有するベッド装置５とを備えている。【００２２】
ガントリ３は、被検体Ｍから放射されるγ線対を検出するγ線検出部７を備えている。γ線検出部７は、トンネル部２の外周に設けられている。γ線検出部７は、被検体Ｍの体軸方向（図１中のＹ方向）に延びて形成されており、その体軸方向Ｙに大きく２つの部分に分けられる。すなわち、γ線検出部７は、図２に示すように、被検体Ｍの頭頸部を主に撮像するための頭頸部用検出部９と、被検体Ｍの体幹上部を主に撮像するための体幹上部用検出部１１とを備えている。なお、体幹上部用検出部１１は本発明の体幹部用検出器に相当する。【００２３】
頭頸部用検出部９は、被検体Ｍから放射されるγ線を検出する検出器ブロック１３をリング状に複数個配置して構成されている。すなわち、検出器ブロック１３は、全円周上に配列している。なお、検出器ブロック１３は本発明の検出器に相当する。【００２４】
一方、体幹上部用検出部１１は、検出器ブロック１３がリング状に複数個配置されると共に、それらの検出器ブロック１３のうち、被検体Ｍの両肩部に対応する部分の検出器ブロック１３を取り除いて構成される切り欠き部１５が設けられている。すなわち、検出器ブロック１３は、全円周上のうち被検体Ｍの両肩部に対応する部分を除いて配列している。切り欠き部１５は、両肩が入る程度の大きさ（例えば、図３中の符号Ｅで示す鉛直方向の開口幅が１０〜２０ｃｍ程度）で左右対称に設けられている。【００２５】
また、体幹上部用検出部１１は、図２に示すように、頭頸部用検出部９の複数個の検出器ブロック１３で形成されるリングの中心軸ＣＬに沿った方向に頭頸部用検出部９と並んで（隣接して）設けられている。すなわち、頭頸部用検出部９および体幹上部用検出部１１は、互いの中心軸ＣＬを共有して中心軸ＣＬ方向に並んで設けられている。【００２６】
頭頸部用検出部９および体幹上部用検出部１１は、図２に示すように、それらの検出器径Ｄが同一となるように構成されている。検出器径Ｄは、リング状に配置された複数個の検出器ブロック１３（後述する検出器１３ａ）における検出面の直径である。頭頸部用検出部９および体幹上部用検出部１１の検出器径Ｄが同一であるので、頭頸部用検出部９および体幹上部用検出部１１における分解能および感度の違いを抑えることができる。なお、検出器径Ｄは、トンネル部２の径とほぼ等しい。【００２７】
次に、切り欠き部分１５が設けられる位置について説明する。切り欠き部１５は、図３に示すように、中心軸ＣＬから延びて切り欠き部１５の中央を通過する線Ｌ１，Ｌ２が、中心軸ＣＬを通過する水平線Ｌ３よりも低い位置となるように設けられている。【００２８】
これは、図４（ａ）に示すように、天板４に被検体Ｍを載置した場合、被検体Ｍの頭部Ｍ１が、体幹部Ｍ２よりも高い位置にあるからである。すなわち、図４（ｂ）および図４（ｃ）に示すように、天板４の天板本体４ａに取り付けられたヘッドレスト４ｂが、天板本体４ａの載置面４ｃよりも６ｃｍ程度、高い位置で頭部を保持するように構成されている。これにより、被検体Ｍを天板４に自然で楽な姿勢で載置することになる。また、切り欠き部１５の中央線Ｌ１，Ｌ２が水平線Ｌ３よりも低い位置となるように設けられている。これにより、被検体Ｍが身体を曲げることなく、切り欠き部１５に楽な姿勢で両肩部を収めることができる。なお、図４（ａ）において、中心軸ＣＬは、視野Ｆの中心と一致するものとする。【００２９】
次に、検出器ブロック１３について説明する。図３を参照する。検出器ブロック１３は、１個または複数個の検出器１３ａで構成されており、検出器ブロック１３ごとに検出器ケース１３ｂに収容されている。検出器１３ａは、いずれも図示しないシンチレータブロックとライトガイドと光電子増倍管とを備えている。シンチレータブロックは、複数個のシンチレータから構成される。シンチレータブロックは、γ線が入射すると、γ線を光に変換する。ライトガイドは、変換された光を光電子増倍管に導くようになっている。そして、光電子増倍管は、導かれた光を光電変換して電気信号を出力する。また、検出器１３ａの一例としては、例えば複数個のシンチレータブロックを多層に構成して、深さ方向の位置情報を取得できるＤＯＩ（depth of interaction）検出器であってもよい。【００３０】
検出器ブロック１３は、切り欠き部１５が無いところでは、円周方向（中心軸ＣＬ周り）に４個の検出器１３ａが設けられ（図３参照）、また、奥行き方向（体軸方向）Ｙに８個の検出器１３ａが設けられている（図５参照）。すなわち、検出器ブロック１３は、合計３２個の検出器１３ａで構成される。また、検出器ブロック１３は、切り欠き部１５を有するところでは、円周方向に４個の検出器１３ａ、奥行き方向Ｙに６個の検出器１３ａの合計２４個の検出器１３ａで構成される。すなわち、奥行き方向Ｙの８個の検出器１３ａのうち、トンネル部２に被検体Ｍを導入する入口側から順番に、２個の検出器１３ａが体幹上部用検出部１１を構成し、６個の検出器１３ａが頭頸部用検出部９を構成する。【００３１】
図１に戻る。ベッド装置５は、天板４を上下（Ｚ方向）に移動させ、また、天板４を被検体Ｍの体軸方向Ｙに移動させるようになっている。これら天板４の移動は、例えば、図示しないモータやギア等により行われる。【００３２】
また、γ線検出部７で検出された信号は、データ収集部１７で収集される。データ収集部１７は、図示しない同時計数回路を備えている。データ収集部１７は、被検体Ｍから１８０°反対方向に放出された２本のγ線が同時に検出されたことを判定し、その同時検出と判定したデータを収集して、被検体Ｍに対する各方向の投影データを取得する。データ収集部１７は、図５の符号Ｐに示すように、頭頸部用検出部９と体幹上部用検出部１１との間でも同時計数を行ってデータ収集する。すなわち、頭頸部用検出部９のみ、あるいは体幹上部用検出部１１のみで、データ収集部１７により３次元収集するだけでなく、頭頸部用検出部９と体幹上部用検出部１１との間においても３次元収集する。これにより、頭頸部と体幹部との接続部分の感度を増加させて、被検体Ｍの頭頸部から体幹上部にかけて撮像する。【００３３】
データ収集部１７で３次元収集されて取得された投影データは、画像再構成部１９により画像再構成されて断層像が得られる。画像再構成部１９は、データ収集部１７で取得された投影データに基づき、３次元画像再構成を行い断層像を取得する。３次元画像再構成方法としては、例えばＯＳ−ＥＭ（ordered subsets - expectation maximization）法などの逐次近似画像再構成法が用いられる。また、その他の３次元画像再構成方法としては、例えば、リビニング（rebinning）法やＦＯＲＥ（Fourier rebinning）法等とＯＳ−ＥＭ法等の逐次近似画像再構成法とを組み合わせたものが挙げられる。これらの手法により、切り欠き部１５を有することによる影響が抑えられた断層像を得ることができる。なお、γ線を検出してから画像再構成までの過程において、必要に応じて、吸収補正などの必要な補正を行ってもよい。【００３４】
また、ＰＥＴ装置１は、この装置１の各構成を統括的に制御する主制御部２１と、画像再構成部１９で生成された断層像を表示する表示部２３と、操作者による入力設定や各種操作のための操作部２５と、画像再構成部１９で得られた断層像等を記憶する記憶部２７とを備えている。主制御部２１は、中央演算処理装置（ＣＰＵ）などで構成される。表示部２３は、モニタ等で構成される。操作部２５は、キーボードやマウス等で構成される。記憶部２７は、ＲＯＭ（Read-only Memory）、ＲＡＭ（Random-Access Memory）またはハードディスク等、取り外し可能なものを含む記憶媒体で構成される。【００３５】
次に、ＰＥＴ装置１の動作について説明する。被検体Ｍにポジトロン標識薬剤を投与し、被検体Ｍをベッド装置５の天板４に載置する。天板４を移動させて、被検体Ｍの頭頸部をトンネル部２内に導入すると共に、体幹上部用検出部１１に左右対称に設けられた２つの切り欠き部１５に被検体Ｍの両肩を導入する（図１参照）。これにより、図６（ａ）および図６（ｂ）に示すように、被検体Ｍの頭頸部および体幹上部をγ線検出部７の撮像領域内に収めることができる。【００３６】
被検体Ｍ内に分布したポジトロン標識薬剤から１８０°反対方向に２本のγ線が放出される。放出された２本のγ線は、γ線検出部７のいずれか２つの検出器１３ａで検出される。データ収集部１７は、その２つの検出器１３ａで２本のγ線が同時に検出されたことを判定し、同時と判定したデータを収集して各方向の投影データを取得する。データ収集部１７によるデータ収集は、被検体Ｍの体軸方向Ｙの検出器１３ａ間にγ線を遮蔽する遮蔽部材を設けない３次元収集（図５参照）で行われる。この収集方法により感度を向上させることができる。画像再構成部１９は、取得した投影データに基づき、例えばＯＳ−ＥＭ法等の逐次近似画像再構成法で画像再構成して断層像を得ることができる。得られた断層像は、表示部２３に表示され、また、記憶部２７に記憶される。【００３７】
本実施例によれば、被検体Ｍに投与したポジトロン標識薬剤の体内分布を画像化するＰＥＴ装置１において、頭頸部用検出部９は、被検体Ｍから放射されるγ線対を検出する検出器ブロック１３（検出器１３ａ）がリング状に複数個配置されており、被検体Ｍの頭頸部を撮像する。一方、体幹上部用検出部１１は、頭頸部用検出部９のリングの中心軸ＣＬに沿った方向に頭頸部用検出部９と並んで設けられている。また、体幹上部用検出部１１は、検出器ブロック１３がリング状に複数個配置されると共に、それらの検出器ブロック１３のうち被検体Ｍの両肩部に対応する部分の検出器ブロック１３を取り除いて構成される切り欠き部１５が設けられている。体幹上部用検出部１１は、被検体Ｍの体幹上部を撮像する。【００３８】
すなわち、体幹上部用検出部１１は、複数個の検出器ブロック１３がリング状に配置された頭頸部用検出部９のリングの中心軸ＣＬに沿った方向に頭頸部用検出部９と並んで設けられている。体幹上部用検出部１１は、検出器ブロック１３がリング状に複数個配置されると共に、それらの検出器ブロック１３のうち被検体Ｍの両肩部に対応する部分の検出器ブロック１３を取り除いて構成される切り欠き部１５が設けられている。その切り欠き部１５に両肩部を収めることができるので、切り欠き部１５以外に設けられた体幹上部用検出部１１の検出器ブロック１３を体幹部に近づけることができ、高分解能および高感度に体幹部の断層像を撮像することができる。したがって、頭頸部用検出部９と体幹上部用検出部１１とにより、被検体Ｍの頭部から体幹上部にかけて高分解能および高感度に断層像を撮像することができる。【００３９】
これにより、治療と連携して、頭頸部に発生した腫瘍、および体幹上部のリンパ節に転移した腫瘍の断層像を高分解能および高感度に撮像することができる。【００４０】
また、被検体Ｍを載置する天板４のヘッドレスト４ｂは、被検体Ｍの頭部を体幹部よりも高い位置で保持する。そのため、頭頸部用検出部９と体幹上部用検出部１１とで共有する中心軸ＣＬ上に頭部の中心軸を配置する場合、体幹部は頭部よりも低い位置となる。そのため、切り欠き部１５は、中心軸ＣＬから延びて切り欠き部１５の中央を通過する線Ｌ１，Ｌ２が、中心軸ＣＬを通過する水平線Ｌ３よりも低い位置となるように設ければ、被検体Ｍが身体を曲げることなく、切り欠き部１５に楽な姿勢で両肩部を収めることができる。【００４１】
本発明は、上記実施形態に限られることはなく、下記のように変形実施することができる。【００４２】
（１）上述した実施例では、体幹上部用検出部１１には、左右対称に切り欠き部１５が設けられている。切り欠き部１５は、図３に示すように、中心軸ＣＬから延びて切り欠き部１５の中央を通過する線Ｌ１，Ｌ２が、中心軸ＣＬを通過する水平線Ｌ３よりも低い位置となるように設けられている。この点、図７（ａ）に示すように、大きい体格の被検体Ｍに対応するために、例えば、切り欠き部１５の中心軸ＣＬ周りを拡げて構成してもよい。【００４３】
また、頭頸部用検出部９は、図５に示すように、体軸方向Ｙに検出器１３ａが６個配置され、体幹上部用検出部１１は、体軸方向Ｙに検出器１３ａが２個配置されている。この点、図７（ｂ）に示すように、例えば、体幹上部用検出部１１の体軸方向Ｙの撮像範囲を拡げてもよい。この場合、体幹上部用検出部１１の体軸方向Ｙの検出器１３ａを例えば４個とする。また、必要に応じて、頭頸部用検出部９および体幹上部用検出部１１の体軸方向Ｙの撮像範囲を変更してもよい。なお、体幹上部用検出部１１は、被検体Ｍの体幹上部だけでなく、体幹部全体を撮像するように体軸方向Ｙの撮像範囲を変更してもよい。【００４４】
また、図７（ａ）と図７（ｂ）の例を組み合わせた図７（ｃ）に示す構成としてもよい。すなわち、頭頸部用検出部９および体幹上部用検出部１１の体軸方向Ｙの撮像範囲、および切り欠き部１５の大きさを変更してもよい。なお、切り欠き部１５は、図７（ａ）〜図７（ｃ）に示すように、開口幅Ｅ（図３参照）、左右対称に形成する角度、および体軸方向Ｙの奥行きによって、必要に応じて設定される。検出器ブロック１３を取り除いて開口幅Ｅを大きくする場合は、その大きさに伴って得られる断層像が劣化しまうので、適切な大きさに設定されることが好ましい。【００４５】
（２）上述した実施例および変形例（１）では、頭頸部用検出部９および体幹上部用検出部１１は、円周上に配置される複数個の検出器１３の径Ｄが同一となるように構成されている。この点、図８（ａ）および図８（ｂ）に示すように、体幹上部用検出部１１は、頭頸部用検出部９の検出器径Ｄ１よりも、検出器径Ｄ２を大きくして構成してもよい。これにより、被検体Ｍの頭頸部および体幹上部をγ線検出部７の撮像領域に収めやすくなる。なお、この場合、実施例と同様に、体幹上部用検出部１１には、左右対称の切り欠き部１５が設けられているので、体幹上部用検出部１１の検出器１３を被検体Ｍの体幹部を近づけることができ、高分解能および高感度に撮像することができる。【００４６】
なお、頭頸部用検出部９および体幹上部用検出部１１の検出器径Ｄ１，Ｄ２が異なっている場合、頭頸部用検出部９および体幹上部用検出部１１の検出器１３の段差部分でγ線が遮られてしまうおそれがある。そのため、頭頸部用検出部９および体幹上部用検出部１１の接続部分の感度を増加させ、取得する画像の画質を向上させるためには、実施例のように、検出器径Ｄ１，Ｄ２が同一であることが好ましい。【００４７】
（３）上述した実施例および各変形例では、データ収集部１７は、頭頸部用検出部９と体幹上部用検出部１１との間でも３次元収集して投影データを取得していた。この点、必要に応じて、頭頸部用検出部９と体幹上部用検出部１１は、個別に３次元収集してもよい。また、体軸方向Ｙの２つの検出器１３間に、斜めから入射するγ線を遮蔽する遮蔽板を設置して、２次元収集して投影データを取得してもよい。この場合、画像再構成部１９は、例えばＯＳ−ＥＭ法などの逐次近似再構成法によって２次元画像再構成して、断層像を取得してもよい。【００４８】
（４）上述した実施例および各変形例では、切り欠き部１５は、検出器ブロック１３ごとに取り除いて構成していたが、検出器１３ａごとに取り除いて構成してもよい。【００４９】
（５）上述した実施例および各変形例では、被検体Ｍに投与したポジトロン標識薬剤から放射されるγ線を検出するＰＥＴ装置１であった。この点、被検体Ｍに投与したシングルフォトン標識薬剤をから放射されるγ線を検出するＳＰＥＣＴ（single photon emission computed tomography）装置であってもよい。
【符号の説明】
【００５０】
１    …  ＰＥＴ装置
４ｂ  …  ヘッドレスト
７    …  γ線検出部
９    …  頭頸部用検出部
１１  …  体幹上部用検出部
１３  …  検出器ブロック
１３ａ…  検出器
１５  …  切り欠き部
１７  …  データ収集部
２１  …  主制御部
Ｍ    …  被検体
Ｍ１  …  頭部
Ｍ２  …  体幹部
ＣＬ  …  中心軸
Ｌ１，Ｌ２  …  中央線
Ｌ３  …  水平線
【図１】
2014118823.tif 000003
【図２】
2014118823.tif 000004
【図３】
2014118823.tif 000005
【図４】
2014118823.tif 000006
【図５】
2014118823.tif 000007
【図６】
2014118823.tif 000008
【図７】
2014118823.tif 000009
【図８】
2014118823.tif 000010
【図９】
2014118823.tif 000011
【図１０】
2014118823.tif 000012
【図１１】
2014118823.tif 000013
【図１２】
2014118823.tif 000014
【手続補正書】
【提出日】平成28年6月13日(2016.6.13)
【手続補正１】
【補正対象書類名】特許請求の範囲
【補正対象項目名】請求項１
【補正方法】変更
【補正の内容】
【請求項１】
被検体に投与した放射性薬剤の体内分布を画像化する核医学診断装置において、
前記被検体から放射される放射線を検出する検出器がリング状に複数個配置された、被検体の頭頸部を撮像する頭頸部用検出部と、
前記頭頸部用検出部のリングの中心軸に沿った方向に前記頭頸部用検出部と並んで設けられ、前記検出器がリング状に複数個配置されると共に、それらの検出器のうち被検体の両肩部を収めることができるよう前記検出器を取り除いて構成される切り欠き部が設けられた、被検体の体幹部を撮像する体幹部用検出部と、
を備えていることを特徴とする核医学診断装置。
【手続補正２】
【補正対象書類名】明細書
【補正対象項目名】００１３
【補正方法】変更
【補正の内容】
【００１３】
本発明は、このような目的を達成するために、次のような構成をとる。
すなわち、本発明の核医学診断装置は、被検体に投与した放射性薬剤の体内分布を画像化する核医学診断装置において、前記被検体から放射される放射線を検出する検出器がリング状に複数個配置された、被検体の頭頸部を撮像する頭頸部用検出部と、前記頭頸部用検出部のリングの中心軸に沿った方向に前記頭頸部用検出部と並んで設けられ、前記検出器がリング状に複数個配置されると共に、それらの検出器のうち被検体の両肩部を収めることができるよう前記検出器を取り除いて構成される切り欠き部が設けられた、被検体の体幹部を撮像する体幹部用検出部と、を備えていることを特徴とするものである。
【手続補正３】
【補正対象書類名】明細書
【補正対象項目名】００１４
【補正方法】変更
【補正の内容】
【００１４】
本発明の核医学診断装置によれば、体幹部用検出部は、複数個の検出器がリング状に配置された頭頸部用検出部のリングの中心軸に沿った方向に頭頸部用検出部と並んで設けられている。体幹部用検出部は、検出器がリング状に複数個配置されると共に、それらの検出器のうち被検体の両肩部を収めることができるよう検出器を取り除いて構成される切り欠き部が設けられている。その切り欠き部に両肩部を収めることができるので、切り欠き部以外に設けられた体幹部用検出部の検出器を体幹部に近づけることができ、高分解能および高感度に体幹部の断層像を撮像することができる。したがって、頭頸部用検出部と体幹部用検出部とにより、被検体の頭部から体幹部にかけて高分解能および高感度に断層像を撮像することができる。
【手続補正４】
【補正対象書類名】明細書
【補正対象項目名】００１８
【補正方法】変更
【補正の内容】
【００１８】
本発明に係る核医学診断装置によれば、体幹部用検出部は、複数個の検出器がリング状に配置された頭頸部用検出部のリングの中心軸に沿った方向に頭頸部用検出部と並んで設けられている。体幹部用検出部は、検出器がリング状に複数個配置されると共に、それらの検出器のうち被検体の両肩部を収めることができるよう検出器を取り除いて構成される切り欠き部が設けられている。その切り欠き部に両肩部を収めることができるので、切り欠き部以外に設けられた体幹部用検出部の検出器を体幹部に近づけることができ、高分解能および高感度に体幹部の断層像を撮像することができる。したがって、頭頸部用検出部と体幹部用検出部とにより、被検体の頭部から体幹部にかけて高分解能および高感度に断層像を撮像することができる。
【国際調査報告】
2014118823.tif 000015
2014118823.tif 000016
2014118823.tif 000017
2014118823.tif 000018